(57)【要約】【課題】  上路式吊床版橋の架設中において、支柱が固定されたコンクリート板の転倒に対する安定性を確保し、安全にかつ低コストで構築する方法を提供する。【解決手段】  ケーブル１２に吊床版を形成するためのプレキャストコンクリート板５１ａ、５１ｂを順次に配列するときに、まず支柱が固定されていないコンクリート板（タイプＢ）５１ｂを所定間隔をおいてほぼケーブル１２の全長に配列し、その後、支柱が固定されたコンクリート板（タイプＡ）５１ａをクレーン等でつり上げて一方の橋台２に近い位置からすでに配列されたタイプＢの間に順次に配列する。すでにタイプＢの重量がケーブルに載荷されているのでケーブル１２の鉛直方向の変位は小さく、タイプＡの支柱の頂部を橋台２または隣に配置された支柱の頂部と連結し、安定した状態を維持して配列することができる。【選択図】     図９
2006207209.tif 000002
【特許請求の範囲】
【請求項１】
二つの対峙する橋台又は橋脚間に張架されたケーブルに沿って形成された薄いコンクリート板である吊床版と、この吊床版上に立設された支柱と、この支柱上に支持された上路桁とを有する上路式吊床版橋の構築方法であって、
橋台又は橋脚間にケーブルを張架し、
このケーブル上に、吊床版を構成する複数のプレキャストコンクリート板を、該ケーブルに沿って配列し、
これらのプレキャストコンクリート板の内の選択された複数のプレキャストコンクリート板は、あらかじめ支柱が固定されているものとし、
前記支柱の頂部間及び支柱の頂部と前記橋台又は橋脚とを、支柱の転倒を抑止するように連結し、
前記プレキャストコンクリート板の間にコンクリートを打設して、該上路式吊床版橋の支間のほぼ全長にわたって連続する吊床版を形成するとともに、前記支柱に支持され、前記吊床版の両端部間で連続するようにコンクリートを打設して上路桁を形成するものであり、
前記プレキャストコンクリート板を配列する工程は、
支柱が固定されていないプレキャストコンクリート板の全て又は大多数を前記ケーブルの所定の位置に配列して支持し、
支柱が固定されたプレキャストコンクリート板は吊り支持して、対峙する前記橋台又は橋脚の一方に近い位置から順次に、既にケーブルに支持されたプレキャストコンクリート板の間で前記ケーブル上に載置し、
前記支柱の頂部を一方の前記橋台又は橋脚から順次に連結してゆくものであることを特徴とする上路式吊床版橋の構築方法。
【請求項２】
前記支柱が固定されたプレキャストコンクリート板の一つ又は複数を前記ケーブル上に載置する毎に、一端が橋台又は橋脚の側方に設けられたアンカーブロックに定着されるとともに他端は前記支柱の頂部付近に連結されたサイドワイヤを前記ケーブルの両側に張架し、前記支柱の頂部の横方向への変位を拘束する工程を含むことを特徴とする請求項１に記載の上路式吊床版橋の構築方法。
【請求項３】
前記支柱の頂部を連結する部材が水平方向の変位を拘束するトラスを構成するものであることを特徴とする請求項１又は請求項２に記載の上路式吊床版橋の構築方法。
【請求項４】
前記支柱の頂部を連結する部材は、前記支柱の頂部付近と、前記吊床版の軸線と直角で水平方向の軸線回りに回動が可能に連結され、該支柱の上下方向の変位を許容するものであることを特徴とする請求項１又は請求項２に記載の上路式吊床版橋の構築方法。
【請求項５】
前記プレキャストコンクリート板の下側には溝を設けておき、
該溝内に前記ケーブルを収容し、該プレキャストコンクリート板を該ケーブル上に支持させ、所定位置で仮固定して配置することを特徴とする請求項１又は請求項２に記載の上路式吊床版橋の構築方法。
【発明の詳細な説明】
【技術分野】
【０００１】
本願発明は、橋梁の一形式である上路式吊床版橋、すなわちケーブルによって支持される薄いコンクリートの板状部材を（吊床版）をたわみが生じた状態で張架し、この吊床版上に支柱を立設して、その上に平坦な路面を形成するための上路桁を支持する橋梁の構築方法に関する。
【背景技術】
【０００２】
上路式吊床版橋は、薄いコンクリートの板状部材からなる吊床版を張架し、この上に支柱を立設して上路桁を支持するものである。吊床版はケーブルによって支持されて軸線方向にプレストレスが導入されており、活荷重の載荷等によって曲げ変形が生じてもひび割れが生じない程度に十分に薄い部材となっている。
上路式吊床版橋では、吊床版上の支柱により支持された上路桁を備えているので、吊床版のたわみに関係なく路面の縦断勾配を任意に設定することができ、汎用性が高いものとなる。また、吊床版の両端部を上路桁と連結し、吊床版に作用する引張力を上路桁に伝達して上路桁に圧縮力として作用させることもできる。これにより橋台又は橋脚に作用する水平方向の反力が低減され、完成系における橋台等の安定性を向上させることができる。
【０００３】
上路式吊床版橋は、一般に次のような工程によって構築される。
まず、対峙する二つの橋台等の間にケーブルを張架し、このケーブルに支持させて、プレキャストのコンクリート版を橋台間に配列する。そして、このコンクリート版の上に支柱を立設する。この支柱は、特許文献１に記載されているように、予めコンクリート版の上に立設しておき、コンクリート版と支柱とを一つのユニットとしてケーブル上の所定位置に配置することによって、効率の良い施工が可能となる。支柱が設けられると、これらの頂部を連結する上路桁を形成する。この上路桁は、吊床版上に支保工を組み立て、現場打設のコンクリートで形成しても良いが、プレキャストコンクリートからなるセグメントを利用することによって工期を短縮することができ、低コストとなる。
【０００４】
また、特許文献１に記載の上路式吊床版橋では、コンクリート版上の支柱が斜めに立ち上げられ、側面形状がほぼ三角形となった構造ユニットを橋台間に張架したケーブル上に配列する。そして、これらの上に上路桁を形成することにより、この上路桁を上弦材、吊床版を下弦材とし、支柱を斜材とするトラス構造となり、剛性の高い構造が得られる。
【特許文献１】特願平１１−３７２５１７号公報
【発明の開示】
【発明が解決しようとする課題】
【０００５】
しかしながら、上記のような上路式吊床版橋の構築には、次のような問題点がある。
コンクリート板上にあらかじめ柱を固定した構造ユニットを橋台間に張架されたケーブル上に支持させると、ケーブルが柔軟に変形するため不安定になり易い。このため、構造ユニットは橋台に隣接する位置から順次に配列し、支柱の頂部を橋台と連結するとともに、次々に配列する構造ユニットの頂部を順次に連結して横方向への転倒を防止する。しかし、図１６に示すように、最初に橋台１０１と隣接した位置でケーブル１０２に構造ユニット１０３ａを支持させると、ケーブル１０２が大きく変形し、構造ユニット１０３ａは下方へ大きく変位した位置に支持される。このような状態で支柱１０４の頂部を連結部材１０５によって橋台１０１又は橋台に支持された部材１０６に連結しなければならない。そして、図１７に示すように、順次に構造ユニット１０３ｂ，１０３ｃ，１０３ｄを配列して行くと徐々に構造ユニットが上昇し、すべての構造ユニットを配列し終えた時に、それぞれの支柱の頂部がほぼ水平に配列される。
【０００６】
このように構造ユニット１０３を配列する工程で、上下方向ヘ大きく変位すると、支柱の頂部を橋台と連結し、さらに順次各構造ユニットの相互間で連結してゆくときに、相互間で大きな変位を許容するように連結しなければならない。このために連結構造が難しくなるし、連結した構造全体の剛性が低下し、横方向への安定性も維持するのが難しくなる。また、ケーブルの軸線方向にも支柱の傾きが変化することになり、ケーブルル上に載置されたコンクリート板が不安定となる。
【０００７】
さらに、構造ユニットをケーブル上に支持させたときに、構造ユニットを指示する部分でケーブルが大きな曲率で変形し、構造ユニットのコンクリート版を安定して支持することが難しくなる。
【０００８】
本願発明は、上記のような事情に鑑みてなされたものであり、その目的は、上路式吊床版橋の架設中において、プレキャストコンクリート板に支柱が固定された構造ユニットをケーブル上に支持したときに、この構造ユニットの転倒に対する安定性を充分に確保し、安全にかつ低コストで上路式吊床版橋を構築することである。
【課題を解決するための手段】
【０００９】
上記問題点を解決するために、請求項１に係る発明は、  二つの対峙する橋台又は橋脚間に張架されたケーブルに沿って形成された薄いコンクリート板である吊床版と、この吊床版上に立設された支柱と、この支柱上に支持された上路桁とを有する上路式吊床版橋の構築方法であって、  橋台又は橋脚間にケーブルを張架し、  このケーブル上に、吊床版を構成する複数のプレキャストコンクリート板を、該ケーブルに沿って配列し、  これらのプレキャストコンクリート板の内の選択された複数のプレキャストコンクリート板は、あらかじめ支柱が固定されているものとし、  前記支柱の頂部間及び支柱の頂部と前記橋台又は橋脚とを、支柱の転倒を抑止するように連結し、  前記プレキャストコンクリート板の間にコンクリートを打設して、該上路式吊床版橋の支間のほぼ全長にわたって連続する吊床版を形成するとともに、前記支柱に支持され、前記吊床版の両端部間で連続するようにコンクリートを打設して上路桁を形成するものであり、  前記プレキャストコンクリート板を配列する工程は、  支柱が固定されていないプレキャストコンクリート板の全て又は大多数を前記ケーブルの所定の位置に配列して支持し、  支柱が固定されたプレキャストコンクリート板は吊り支持して、対峙する前記橋台又は橋脚の一方に近い位置から順次に、既にケーブルに支持されたプレキャストコンクリート板の間で前記ケーブル上に載置し、  前記支柱の頂部を一方の前記橋台又は橋脚から順次に連結してゆくものである上路式吊床版橋の構築方法を提供する。
【００１０】
この方法では、ケーブルに沿って配置されて吊床版を構成するプレキャストコンクリート板は、支柱があらかじめ固定されているプレキャストコンクリート板（以下、「タイプＡ」）と、支柱が固定されていないプレキャストコンクリート板（以下、「タイプB」という）とを含むものとし、タイプＢのプレキャストコンクリート板の全て又は大多数を橋台又は橋脚間に張架したケーブルの所定の位置にまず配列する。この時、タイプＢは支柱が固定されていないので安定した状態でケーブルに支持させることができる。なお、このタイプＢの配置は、プレキャストコンクリート板をクレーン等で吊り上げて、所定の位置に配置してもよいし、橋台間に張架したケーブルに懸垂支持させた後、ケーブルに沿って移動して所定位置に配置するなど、適切な方法を選択することができる。
【００１１】
上記のようにタイプＢのプレキャストコンクリート板を配置した後、支柱が固定されたプレキャストコンクリート板（タイプＡ）をクレーン等で吊り支持し、対峙する橋台又は橋脚の一方に近い位置から順次に、既にケーブルに支持されたタイプＢのプレキャストコンクリート板の間の所定位置でケーブル上に載置して支持させる。そして、横方向への転倒を防止し、安定な状態で支持するために支柱の頂部を一方の橋台又は橋脚から順次に連結する。このとき、すでにケーブルにはタイプＢのプレキャストコンクリート板の重量が載荷されているので、支柱が固定されたプレキャストコンクリート板(タイプＡ)をケーブル上に載置しても、ケーブルの鉛直方向の変位は小さい。また、タイプＡのプレキャストコンクリート板を載置した位置でのケーブルの角度変化も小さいものとなる。これにより、支柱が固定されたプレキャストコンクリート板(タイプＡ)をケーブル上に安定して支持することが容易となり、支柱の頂部を橋台又は橋脚に連結する構造及び隣接する支柱の頂部間を連結する構造を簡略化することができる。
【００１２】
請求項２に係る発明は、  請求項１に記載の上路式吊床版橋の構築方法において、  前記支柱が固定されたプレキャストコンクリート板の一つ又は複数を前記ケーブル上に載置する毎に、一端が橋台又は橋脚の側方に設けられたアンカーブロックに定着されるとともに他端は前記支柱の頂部付近に連結されたサイドワイヤを前記ケーブルの両側に張架し、前記支柱の頂部の横方向への変位を拘束する工程を含むものとする。
【００１３】
この方法では、橋台の両側方に設けられたアンカーブロックに一端が定着されたサイドワイヤをケーブル上に配置された支柱の頂部付近に連結し、このサイドワイヤに張力を導入する。これにより、架設する橋梁の軸線に対して横方向へ生じる支柱頂部の変位がサイドワイヤの張力により拘束され、架設中の風等により生じる横揺れ及び支柱の横方向への転倒を防止することができる。
【００１４】
請求項３に係る発明は、  請求項１又は請求項２に記載の上路式吊床版橋の構築方法において、  前記支柱の頂部を連結する部材が水平方向の変位を拘束するトラスを構成するものとする。
【００１５】
この方法では、それぞれの支柱の頂部を橋台又は橋脚と連結する部材がトラスを構成し、水平方向に大きな剛性を有するものとなる。そして、橋台又は橋脚から片持ち状に張り出して水平方向の力を橋台又は橋脚に伝達する。したがって、軽量の部材で横方向の変位を小さく抑えることが可能となり、支柱の横方向の安定性を向上させることができる。
【００１６】
請求項４に係る発明は、請求項１又は請求項２に記載の上路式吊床版橋の構築方法において、  前記支柱の頂部を連結する部材は、前記支柱の頂部付近と、前記吊床版の軸線と直角で水平方向の軸線回りに回動が可能に連結され、該支柱の上下方向の変位を許容するものとする。
【００１７】
この方法では、支柱の頂部を連結する部材が吊床版の軸線と直角で水平方向の軸線回りに回動が可能に接合されるので、支柱に生じる鉛直方向の変位を許容し、連結する部材及び支柱の頂部に大きな応力が生じるのを防止することができる。つまり、支柱が固定されたプレキャストコンクリート板(タイプＡ)をケーブル上に載置すると、その荷重によりケーブルが下方に変位してプレキャストコンクリート板とともに支柱の頂部が橋台又は橋脚に対して変位する。しかし、支柱の頂部と橋台等とを連結する部材が上下方向の相対的な変位を許容するとともに、横方向への変位を拘束することができる。また、すでにケーブル上に載置されたプレキャストコンクリート板（タイプＡ）の支柱頂部と新たにケーブル上に載置されるプレキャストコンクリート板（タイプＡ）の支柱頂部との間も上下方向の相対的変位を許容するように連結することが容易となる。
【００１８】
請求項５に係る発明は、  請求項１又は請求項２に記載の上路式吊床版橋の構築方法において、  前記プレキャストコンクリート板の下側には溝を設けておき、  該溝内に前記ケーブルを収容し、該プレキャストコンクリート板を該ケーブル上に支持させ、所定位置で仮固定して配置するものとする。
【００１９】
この方法では、プレキャストコンクリート板(タイプＡ・Ｂ)を吊り上げて張架されているケーブル上に吊り降ろし、プレキャストコンクリート板(タイプＡ・Ｂ)の下側に設けられている溝にケーブルをはめ入れることによって容易にプレキャストコンクリート板(タイプＡ・Ｂ)をケーブル上に支持させることができる。また、吊り上げたプレキャストコンクリート板(タイプＡ・Ｂ)はケーブルに沿ったいずれの位置でもケーブルに支持させることが可能となり、橋梁を架設しようとする現場の状況に対応して施工計画を立てることができる。
【発明の効果】
【００２０】
以上説明したように、本願に係る発明の上路式吊床版橋の構築方法では、対峙した橋台又は橋脚間に張架したケーブルに、吊床版を形成するためのプレキャストコンクリート板を順次に配置するときに、ケーブルの撓みの変動、並びに既に配置されたプレキャストコンクリート板及びこれに固着された支柱が上下方向に大きく変位するのを抑制することができる。したがって、配列した支柱の頂部を橋台又は橋脚と連結するとともに、隣り合う支柱間で連結して安定して支持することが容易となる。
また、架設しようとする橋梁の両側に張架したサイドワイヤによって、ケーブル上に支持されたプレキャストコンクリート板上の支柱頂部が横方向に変位するのを拘束し、安定した状態で支持することができる。
【発明を実施するための最良の形態】
【００２１】
以下、本願発明の実施の形態を図に基づいて説明する。
図１は、本願に係る発明の一実施形態である方法によって構築された上路式吊床版橋の概略側面図である。また、図２は断面図、図３は端部の拡大図である。
この上路式吊床版橋は、二つの橋台１，２間に架設されたものであり、沓５、６を介して橋台１、２上に支持されたコンクリートの端部ブロック３，４と、これらの端部ブロック３、４間に張架された吊床版７と、この吊床版７上に立設された複数の支柱５２と、上記端部ブロック３、４間で連続するように形成され、支柱によって吊床版上に支持される上路桁９と、で主要部が構成されている。
【００２２】
上記橋台１，２は、橋を架設する位置の強固な地盤２９上に鉄筋コンクリートによって構築され、架設時にはアースアンカー１０、１１によって地盤２９又は岩盤に強固に固定される。吊床版７および上路桁９が完成した後は、上記アースアンカー１０、１１は不要となり、撤去することもできるが、そのまま残してもよい。
【００２３】
上記沓５、６は、ゴム沓、鋳造された沓等を用いることができる。これらの沓５、６は、橋の軸線と直角方向の水平な軸線回りに回転が可能に桁を支持するものであり、桁の両端部を支持する沓５、６のうち、一方は橋の軸線方向の水平移動を拘束し、他方は移動を許容するものとなっている。橋の軸線と直角の方向への水平移動は、双方の沓５、６とも拘束するものである。
【００２４】
上記端部ブロック３，４は、現場打ちコンクリートで形成してもよいし、工場等であらかじめ製作されたプレキャストコンクリートとしてもよい。これらの端部ブロック３，４の鉛直面の上部には、図３に示すように、双方の端部ブロック３，４間で連続する上路桁９が接合されており、下部には吊床版７が接合されている。そして、吊床版７を支持するケーブル１２の両端部は、これらの端部ブロック３，４にそれぞれ定着されている。
【００２５】
上記吊床版７は、コンクリートの薄い板状部材であり、二つの端部ブロック３、４間で連続しており、たわみが生じた状態でケーブル１２の引張力によって支持されている。この吊床版７は、工場又は現場近くの製作ヤードで作成された複数のプレキャストコンクリート板と、これらの間及びこれらのプレキャストコンクリート板と端部ブロック３、４との間を連結するように打設された現場打ちコンクリートとで形成されている。
【００２６】
上記ケーブル１２は、複数の第１の鋼より線１２ａと複数の第２の鋼より線１２ｂとを含むものであり、第１の鋼より線１２ａは、図２に示すように、吊床版７の下面に形成された溝７ａ内に収容され、下側から吊床版７を支持するものとなっている。この第１の鋼より線１２ａは、合成樹脂で被覆されたものが用いられており、端部には、鋼からなる管状の定着体が圧着されている。この定着体の外周面には、ねじ山が形成され、ナット１７を螺号してコンクリートの端部ブロック３、４に定着することができるものである。
【００２７】
第２の鋼より線１２ｂは、吊床版７のコンクリート中に埋め込まれたシース内に挿通され、両端はやはり端部ブロック３、４に定着されている。
【００２８】
上記支柱５２は、図１に示すように、吊床版７の上面から斜め上方に立ち上げられ、上路桁９を支持するように構成されている。そして、橋軸方向の互いに反対側へ傾斜する支柱５２ａ、５２ｂが吊床版７のほぼ同じ位置から立ち上げられ、これらの支柱５２は吊床版７と上路桁９とともにワレントラスを形成している。
【００２９】
上記上路桁９は、支柱５２の頂部に支持されたプレキャストコンクリートからなるセグメント２０と、これと一体となるように打設され、複数のセグメント間及びセグメントと端部ブロック間を連続させる場所打ちコンクリートと、これらの上に場所打ちコンクリートで形成された床版２１とで構成されている。そして、自重や活荷重による曲げモーメント及びせん断力に充分に耐えられるように鉄筋による補強がなされている。この上路桁の上には舗装７１が施され、両側部には高欄７２が設けられている。
【００３０】
次に、本願に係る発明の一実施形態であって、上記の上路式吊床版橋を構築する方法について説明する。
まず、図４に示すように、橋を架設する位置の両側にそれぞれ橋台１、２を構築する。この橋台１、２は、大きな水平方向の力に抵抗できるように、アースアンカー１０、１１によって地盤２９又は岩盤に強固に固着する。そして、これらの橋台１、２上に沓５、６を介して端部ブロック３、４を形成し、これらを橋台１、２に仮固定する。端部ブロック３、４の仮固定は、図５に示すように、沓５、６の前方および側方に仮固定ブロック３０、３１、３２、３３を介挿し、鉛直方向の仮固定鋼材３５、３６で締め付ける。
【００３１】
二つの橋台１、２間には、図４に示すように、作業を容易にするための吊足場８を架け渡す。この吊足場８は、吊床版７の施工に用いられるものであり、吊床版７を設ける位置の下側に張架される。そして、この吊足場８の架設は、橋台１、２間にワイヤを張架し、橋台１、２間でたわみが生じた状態のワイヤ上に足場板を支持させるものである。また、双方の橋台１、２付近には反力台４６、４７をそれぞれ設け、これらの反力台４６、４７間に資材搬送用の天井ケーブル１９を張設する。
【００３２】
その後、端部ブロック３、４間にケーブル１２を張架する。ここで張架するケーブル１２は、第１の鋼より線１２ａのみであり、図６に示すように、端部ブロック３、４に埋め込まれたシース内に挿通され、両端部は鋼より線に圧着された定着体１５にカプラー３４で延長ケーブル３７を継ぎ足し、ナット１８によってこれを橋台１に定着する。これにより架設中にケーブル１２から作用する反力を橋台１に負担させ、端部ブロック３には反力が作用しないようにしている。上記定着体１５にはナット１７が螺号されており、完成系において端部ブロック３、４に反力を負担させてケーブル１２を定着する。
なお、橋台１の後部は、上記延長ケーブル３７からの反力が作用したときに、橋台１の後部断面に過度の引張応力が生じないように、鉛直方向のＰＣ鋼材３８によって補強している。
【００３３】
次に、図４に示すように、一方の端部ブロック４から所定の長さで片持ち状に張り出した上路桁の一部９ａを形成する。上路桁のこの部分は、支保工上で鉄筋を組み立て、コンクリートを打設することによって形成する。
その後、吊床版を形成するプレキャストコンクリート板をケーブル上に配列する。プレキャストコンクリート板は、支柱が固定されているもの（タイプＡ）と支柱が固定されていないもの（タイプＢ）との２種類を用いるものとし、ケーブル１２の軸線方向にタイプＢのプレキャストコンクリート板を２枚配列する毎にタイプＡのプレキャストコンクリート板を一つ配列して、所定の間隔で支柱が立設されるものとしている。
【００３４】
支柱が固定されたプレキャストコンクリート板(タイプＡ)は、工場又は架設現場の近くに設けられた製作ヤードで形成されたものであり、図７に示すように、吊床版７となるプレキャストコンクリート板５１ａ上に、鋼管からなる４本の支柱５２が斜め上方に立ち上げられている。これらの支柱は、橋梁の軸線方向及び幅方向に先端の間隔が下端より開くように設けられており、それぞれの上端部は、互いに仮固定部材５３によって連結され、相対的に位置が変動しないように拘束されている。また、支柱５２の下部はプレキャストコンクリート板５１ａに埋め込まれたアンカー（図示せず）によって強固に固着され、コンクリート版５１ａと支柱５２との相互間で確実に力が伝達されるようになっている。さらに、各支柱の頂部付近には連結部材を結合するための回動連結軸５９が側方へ水平に張り出すように取り付けられている。
なお、図７中の符号５４は、支柱を連結するためにプレキャストコンクリート板５１ａ上に設けられた凸状部、符号５５はプレキャストコンクリート板の支柱との接合部を補強するための横桁である。
【００３５】
また、上記支柱５２の上部には、橋梁の軸線方向に張り出すように２本の鋼型材５６、５７が平行に取り付けられている。これらの鋼型材は、プレキャストコンクリート板５１を全て配列した後に互いに連結し、上路桁９を形成するプレキャストコンクリートセグメントを搬送するためのレール及び支持部材として用いるものである。
【００３６】
上記プレキャストコンクリート板のケーブル１２上への配列は、図８に示すように、まず支柱が固定されていないプレキャストコンクリート板５１ｂ（タイプＢ）の全てを所定の位置に配列する。タイプＢのプレキャストコンクリート板５１ｂは、天井ケーブル１９等によって吊り支持し、順次、所定の位置に搬送した後、ケーブル１２上に配置して仮固定する。なお、タイプＢのプレキャストコンクリート板５１ｂは、対峙する橋台間で張架されたケーブル１２に懸垂支持し、ケーブルに沿って移動させて所定位置に載置することもできる。このようにして配置されるタイプＢのプレキャストコンクリート板は、平板状となっているので、ケーブル上でも安定して支持される。
【００３７】
その後、複数の支柱５２が固定されたプレキャストコンクリート板５１ａ(タイプＡ)を天井ケーブル１９に支持させ、図９に示すように吊り支持したまま移動して対峙する橋台の一方に近い位置から順次ケーブル１２上の所定位置に載置して配列する。このタイプＡのプレキャストコンクリート板５１ａを載置する位置は、既にケーブル１２上に配列されたタイプＢのプレキャストコンクリート板５１ｂの間であって、タイプＡのプレキャストコンクリート板５１ａが配置できるように所定の間隔が確保されている。そして、一番目に配置されたタイプＡのプレキャストコンクリート板５１ａの支柱は上記上路桁の端部ブロック４から張り出した部分９ａと連結部材６０により仮固定する。
【００３８】
上記のように、タイプＡのプレキャストコンクリート板５１ａをケーブル１２上に支持させたとき、ケーブル１２には既にタイプＢのプレキャストコンクリート板５１ｂがケーブル１２のほぼ全長にわたって支持されており、載置するプレキャストコンクリート板５１ａ（タイプＡ）の重量によって生じるケーブル１２の撓みは小さく抑えられる。したがって、連結部材６０が対応すべき相対変位量は小さく、簡単な構造で連結することができる。
【００３９】
その後、タイプＡのプレキャストコンクリート板５１ａを順次に配列し、支柱５２の頂部を先に配置した支柱５２の頂部付近と連結部材６０により連結し仮固定する。このように順次にタイプＡのプレキャストコンクリート板５１ａをケーブル上に載置することによって、先に載置したプレキャストコンクリート板は上下方向に変位するが、ケーブル全体に既に荷重が載荷されていることにより変位量は大きくならず、安定した状態が維持される。
【００４０】
連結部材６０による支柱相互間の連結及び支柱頂部と上路桁の張り出し部との連結は、連結部材に設けられた貫通孔（図示しない）に支柱から張り出した回動連結軸５９を挿通することによって行う。また、連結部材６０は、図１０に示すように４本が立ち上げられた支柱群の両側部に設けるものとし、これらを斜材６１で連結して水平方向のトラス構造とする。そして、タイプＡのプレキャストコンクリート板５１ａの配列が進行する毎に、橋台の側方に設けられたアンカーブロック４１，４２，４３，４４からサイドワイヤ４０を張架し、支柱頂部の横方向への変位を拘束する。
【００４１】
順次にタイプＡのプレキャストコンクリート板５１ａを配列し、最後のプレキャストコンクリート板は支柱の頂部を先に配置した支柱の頂部と連結するとともに、図１１に示すように反対側で上路桁の端部ブロック３から張り出した部分９ｂに連結し、二つの端部ブロック３，４間で全ての支柱を連結して支持する。そして、図１２に示すように、連結部材６０が水平方向のトラスを構成するとともに、サイドワイヤ４０が支柱の頂部の横方向への変位を拘束し、プレキャストコンクリート板５１及び支柱５２が安定した状態で支持される。
【００４２】
このようにして、全てのプレキャストコンクリート板５１と支柱５２がケーブル１２上に配列されると、第２の鋼より線１２ｂをプレキャストコンクリート板５１(タイプＡ・Ｂ)に埋め込まれたシース内に挿通し、その両端を端部ブロック３、４に定着する。この第２の鋼より線１２ｂの両端には前記第１の鋼より線１２ａと同じように定着体が固着されており、この定着体に形成されたねじ山にナットを螺合してコンクリートに定着する。
【００４３】
また、支柱の頂部に支持された鋼型材５６，５７を軸線方向に連結し、支柱上部に１対のレール（図示しない）を形成する。このレールを使用して、図１３に示すような上路桁９を形成するためのプレキャストコンクリートセグメント２０を橋台上から送り出し、所定の位置に配置する。このとき、送り出しが容易となるように、レールの上にローラなどの転動体を有する送り装置（図示せず）を載置し、搬送用鋼架台２２を介してプレキャストコンクリートセグメント２０をこの送り装置に支持させてレール上を搬送する。
【００４４】
上記プレキャストコンクリートセグメント２０は、図１３に示すように、橋軸方向の剛性を大きくするための主桁部２３と、橋軸に沿って左右に設けられた二つの主桁部２３を連結する横桁部２４とを有している。主桁部２３は、支柱上端が接合される位置の底部に開口２３ａを有し、橋軸方向に長い箱形部材となっており、両端は隣接して配置されるセグメントと接合するための鉄筋（図示しない）が突き出している。
【００４５】
図１４に示すように、全てのプレキャストコンクリートセグメント２０が所定の位置に配置されると、セグメント間９ｃ及びプレキャストコンクリートセグメント２０と既に形成されている上路桁９ａ，９ｂとの間９ｄにコンクリートを打設して相互間を連結する。さらに、主桁部２３で支持されるように床版部分のコンクリートを打設し、二つの端部ブロック３、４間で連続した上路桁９を形成する。また、上路桁のコンクリートの打設とともに、ケーブル１２に沿って配列されたプレキャストコンクリート板５１間及び橋台に最も近い位置に配置されたプレキャストコンクリート板と端部ブロック３，４との間にコンクリートを打設し、二つの端部ブロック３，４間で連続した吊床版７を形成する。
【００４６】
上記のようにして上路桁９及び吊床版７が端部ブロック３，４間で連続すると、先にプレキャストコンクリート板５１(タイプＡ・Ｂ)中のシース内に挿通した第２の鋼より線１２ｂを緊張して吊床版７に軸線方向のプレストレスを導入する。なお、この第２の鋼より線１２ｂは端部ブロック３，４に定着する。
【００４７】
次に、第１の鋼より線１２ａに接続された延長ケーブル３７を橋台１，２に係止していたナット１８を緩め、第１の鋼より線１２ａの端部の定着体１５に螺号されたナット１７によって第１の鋼より線１２ａの引張力を端部ブロック３，４に負担させる。そして、端部ブロック３，４の仮固定を解放すると、第１の鋼より線１２ａの反力は橋台１，２から端部ブロック３，４に移行し、端部ブロック３，４から上路桁９に軸力として伝達される。これにより、図１５に示すような両端部が単純支持された構造となる。つまり、吊床版７に作用する引張力と上路桁９に作用する圧縮力とが相殺され、橋台１、２には水平力が作用しない、いわゆる自碇化された構造系となる。
【００４８】
その後、上路桁７の上に舗装７１を施し、高欄７２を取り付けて上路式吊床版橋が完成する。
【図面の簡単な説明】
【００４９】
【図１】本願発明の一実施形態である方法によって構築される上路式吊床版橋の一例を示す概略側面図である。
【図２】図１に示す上路式吊床版橋の断面図である。
【図３】図１に示す上路式吊床版橋の端部の拡大図である。
【図４】図１に示す上路式吊床版橋を構築する工程を示す概略図である。
【図５】図１に示す上路式吊床版橋を構築する工程において、吊床版及び上路桁が連結される端部ブロックを橋台に仮固定した状態を示す概略断面図である。
【図６】架設中におけるケーブルの定着状態を示す断面図である。
【図７】図１に示す上路式吊床版橋を構築するための支柱が固定されたプレキャストコンクリート板（タイプＡ）を示す概略斜視図である。
【図８】図１に示す上路式吊床版橋を構築する工程を示す概略図である。
【図９】図１に示す上路式吊床版橋を構築する工程を示す概略図である。
【図１０】支柱が固定されたプレキャストコンクリート板（タイプＡ）の配列中の状態であって、支柱の横揺れを防止するサイドワイヤの張架状態を示す概略平面図である。
【図１１】支柱の全てを連結した状態を示す概略側面図である。
【図１２】支柱の全てを連結した状態を示す概略平面図である。
【図１３】上路桁を形成するために用いるプレキャストコンクリートセグメントの概略斜視図である。
【図１４】図１に示す上路式吊床版橋を構築する工程を示す概略図である。
【図１５】図１に示す上路式吊床版橋を構築する工程を示す概略図である。
【図１６】上路式吊床版橋を構築する従来方法における問題点を説明する概略図である。
【図１７】上路式吊床版橋を構築する従来方法における問題点を説明する概略図である。
【符号の説明】
【００５０】
１、２：  橋台、    ３、４：  端部ブロック、    ５、６：  沓、    ７：  吊床版、    ７ａ：  吊床版の溝、    ８：  吊足場、    ９：  上路桁、    １０、１１：  アースアンカー、    １２：  ケーブル、    １２ａ：  第１の鋼より線、    １２ｂ：  第２の鋼より線、    １５：  定着体、    １７、１８：  ナット、    １９：  天井ケーブル、
２０：  プレキャストコンクリートセグメント、    ２１：  床版、    ２２：  搬送用鋼架台、    ２３：  主桁部、    ２３ａ：  主桁部の開口、    ２４：  横桁部、
２８：  門型クレーン、    ２９：  地盤、
３０、３１、３２、３３：  仮固定ブロック、    ３４：  カプラー、
３５、３６：  仮固定鋼材、    ３７：  延長ケーブル、    ３８：  ＰＣ鋼材、    
４０：  サイドワイヤ、    ４１、４２、４３、４４：  アンカーブロック、    ４６、４７：  反力台、
５１：  吊床版を形成するプレキャストコンクリート板、
５１ａ：  支柱が固定されたプレキャストコンクリート板（タイプＡ）、
５１ｂ：  支柱が固定されていないプレキャストコンクリート板（タイプＢ）、
５２：  支柱、    ５３：  仮固定部材、    ５４：  凸状部、    ５５：  横桁、    ５６、５７：  鋼型材、    ５８：  斜め連結材、    ５９：  回動連結軸、
６０：  連結部材、    ６１：  斜材、
７１：  舗装、    ７２：  高欄
【図１】
2006207209.tif 000003
【図２】
2006207209.tif 000004
【図３】
2006207209.tif 000005
【図４】
2006207209.tif 000006
【図５】
2006207209.tif 000007
【図６】
2006207209.tif 000008
【図７】
2006207209.tif 000009
【図８】
2006207209.tif 000010
【図９】
2006207209.tif 000011
【図１０】
2006207209.tif 000012
【図１１】
2006207209.tif 000013
【図１２】
2006207209.tif 000014
【図１３】
2006207209.tif 000015
【図１４】
2006207209.tif 000016
【図１５】
2006207209.tif 000017
【図１６】
2006207209.tif 000018
【図１７】
2006207209.tif 000019